(57)【特許請求の範囲】
【請求項１】
試料液中に含まれる基質を定量するためのバイオセンサであって、
絶縁性基板と、
前記絶縁性基板の一方の面に設けられた作用極および対極を含む電極層と、
前記電極層の前記絶縁性基板と反対側の表面の一部に形成された、前記基質と反応する酵素、および、メディエータを含む試薬層と、
前記試料液を前記試薬層に誘導するキャビティを形成するための切欠部を有し、該切欠部の内部に前記試薬層が位置するように前記電極層上に配置されたスペーサと、
少なくとも前記切欠部を覆うように、前記スペーサの前記絶縁性基板と反対側の面に設けられたカバーとを備え、
前記カバーは、前記キャビティに連通する空気孔を有し、
平面視において、前記キャビティの前記試薬層より奥側の部分である奥部の面積に対する前記空気孔の面積の比率が０．１以下であり、
平面視において、前記空気孔が前記キャビティの前記奥部の最も奥側の縁部である最奥縁部の近傍に位置し、前記キャビティの前記奥部の幅が前記空気孔の方向に向かって狭くなっていることを特徴とする、バイオセンサ。
【請求項２】
平面視において、前記キャビティの前記最奥縁部の形状が円弧状である、請求項１に記載のバイオセンサ。
【請求項３】
前記キャビティの前記試薬層に相当する部分である試薬部の幅が、前記キャビティの前記試薬部以外の部分の幅よりも広い、請求項１または２に記載のバイオセンサ。
【発明の詳細な説明】
【技術分野】
【０００１】
本発明は、電気化学法を用いたバイオセンサに関する。
【背景技術】
【０００２】
血糖値センサなどのグルコースセンサのように、電気化学法を利用した各種のバイオセンサが知られている。
【０００３】
例えば、バイオセンサのキャビティ（スペーサに形成された溝によって形成される空間）に、検体（血液など）を導入すると、検体に含まれる成分（基質）が、酵素を介してメディエータを還元する。ここで、電極に所定の電圧を印加すると、電気化学反応により、還元されたメディエータが逆に酸化される。このとき発生する酸化電流を測定することで、着目する成分の量を検出できる。
【０００４】
このようなバイオセンサは、一般に、少なくとも作用極と対極を含む２つ以上の電極を備えており、電極上に、キャビティを形成するためのスペーサを貼り合わせたのち、キャビティの一部に酵素、メディエータなどを含む試薬層を形成し、カバーを貼り合わせてなる構造を有している。
【０００５】
ここで、従来のバイオセンサとして、例えば、特許文献１（特許第４６２７９１２号公報）および特許文献２（特開平１０−２８２０３７号公報）には、平面視におけるキャビティ幅と空気孔の直径が同程度であるバイオセンサが開示されている。
【先行技術文献】
【特許文献】
【０００６】
【特許文献１】特許第４６２７９１２号公報
【特許文献２】特開平１０−２８２０３７号公報
【発明の概要】
【発明が解決しようとする課題】
【０００７】
しかしながら、本発明者らは、平面視におけるキャビティ幅と空気孔の直径が同程度であるバイオセンサでは、測定値にばらつきが生じやすいことを見出した。なお、これは、例えば、空気孔の付近のキャビティ内で検体（試料液）の流れに乱流が生じることで、電気化学反応を検出している作用極および対極上で乱流に伴って生じる検体のゆらぎにより、Ｉ−ｔカーブが乱れることが原因の１つであると推測される。
【０００８】
本発明は、上記課題に鑑みてなされたものであり、従来よりもさらに高精度な測定が可能なバイオセンサを提供することを目的とする。
【課題を解決するための手段】
【０００９】
［１］
試料液中に含まれる基質を定量するためのバイオセンサであって、
絶縁性基板と、
前記絶縁性基板の一方の面に設けられた作用極および対極を含む電極層と、
前記電極層の前記絶縁性基板と反対側の表面の一部に形成された、前記基質と反応する酵素、および、メディエータを含む試薬層と、
前記試料液を前記試薬層に誘導するキャビティを形成するための切欠部を有し、該切欠部の内部に前記試薬層が位置するように前記電極層上に配置されたスペーサと、
少なくとも前記切欠部を覆うように、前記スペーサの前記絶縁性基板と反対側の面に設けられたカバーとを備え、
前記カバーは、前記キャビティに連通する空気孔を有し、
平面視において、前記キャビティの前記試薬層より奥側の部分である奥部の面積に対する前記空気孔の面積の比率が０．３以下であることを特徴とする、バイオセンサ。
［２］
平面視において、前記空気孔が前記キャビティの前記奥部の最も奥側の縁部である最奥縁部の近傍に位置し、前記キャビティの前記奥部の幅が前記空気孔の方向に向かって狭くなっている、［１］に記載のバイオセンサ。
［３］
平面視において、前記キャビティの前記最奥縁部の形状が円弧状である、［２］に記載のバイオセンサ。
［４］
前記キャビティの前記試薬層に相当する部分である試薬部の幅が、前記キャビティの前記試薬部以外の部分の幅よりも広い、［１］〜［３］のいずれかに記載のバイオセンサ。
【発明の効果】
【００１０】
本発明によれば、従来よりもさらに高精度な測定が可能なバイオセンサを提供することができる。
【図面の簡単な説明】
【００１１】
【図１】実施形態１のバイオセンサにおけるキャビティの構成を示す上面模式図である。
【図２】実施形態１のバイオセンサの使用状態を説明するための上面模式図である。
【図３】参考形態１のバイオセンサにおけるキャビティの構成を示す上面模式図である。
【図４】参考形態１のバイオセンサの使用状態を説明するための上面模式図である。
【図５】従来のバイオセンサにおけるキャビティの構成の一例を示す上面模式図である。
【図６】試験例１におけるグルコース測定電流のＣＶ値と空気孔の面積比率との関係を示すグラフである。
【図７】試験例２におけるグルコース測定電流のＣＶ値を示すグラフである。
【図８】試験例３におけるグルコース測定電流のＣＶ値を示すグラフである。
【図９】実施形態１のバイオセンサの構成を示す分解斜視図である。
【図１０】実施形態１のバイオセンサの製造工程の一例を説明するための斜視図である。
【図１１】実施形態１のバイオセンサの製造工程の一例を説明するための別の斜視図である。
【図１２】実施形態１のバイオセンサの製造工程の一例を説明するための別の斜視図である。
【図１３】実施形態１のバイオセンサの製造工程の一例を説明するための別の斜視図である。
【図１４】実施形態１のバイオセンサの製造工程の一例を説明するための別の斜視図である。
【発明を実施するための形態】
【００１２】
以下、本発明の実施形態について、図面を参照して説明する。なお、図面において、同一の参照符号は、同一部分または相当部分を表す。また、長さ、幅、厚さ、深さなどの寸法関係は図面の明瞭化と簡略化のために適宜変更されており、実際の寸法関係を表すものではない。各実施形態は例示であり、異なる実施形態で示した構成の部分的な置換または組み合わせが可能であることは言うまでもない。
【００１３】
［実施形態１］
図９を参照して、本実施形態のバイオセンサは、試料液中に含まれる基質を定量するためのバイオセンサであって、絶縁性基板１と、電極層と、試薬層３と、スペーサ４と、カバー５とを備える。
【００１４】
電極層は、絶縁性基板１の一方の面に設けられた作用極２１および対極２２を含む。
試薬層３は、電極層の絶縁性基板１と反対側の表面の一部に形成され、少なくとも基質と反応する酵素、および、メディエータを含む。
【００１５】
スペーサ４は、試料液を試薬層３に誘導するキャビティ４１を形成するための切欠部４２を有し、切欠部４２（キャビティ４１）の内部に試薬層３が位置するように電極層上に配置される。
【００１６】
カバー５は、少なくとも切欠部４２を覆うように、スペーサ４の絶縁性基板１と反対側の面に設けられる。また、カバー５は、キャビティ４１に連通する空気孔５ａを有している。
【００１７】
本実施形態のバイオセンサは、平面視において、キャビティ４１の試薬層３より奥側の部分である奥部の面積に対する空気孔５ａの面積の比率が０．３以下であることを特徴とする。キャビティ４１の試薬層３より奥側の部分である奥部の面積に対する空気孔５ａの面積の比率は、より好ましくは０．００１以上０．２以下である。
【００１８】
これにより、バイオセンサの測定値のばらつきを低減することができる。これは、例えば、空気孔５ａの付近のキャビティ４１内で検体（試料液）の流れに乱流が生じることが抑制されるためであると推測される。したがって、このような構造を採用することで、高精度での測定が可能なバイオセンサを提供することができる。
【００１９】
本実施形態では、平面視において、空気孔５ａがキャビティ４１の奥部の最も奥側の縁部である最奥縁部の近傍に位置し、キャビティ４１の奥部の幅が空気孔５ａの方向に向かって狭くなっていることが好ましい。具体的には、平面視において、キャビティ４１の最奥縁部の形状が円弧状であることがより好ましい。
【００２０】
図１は、本実施形態のバイオセンサにおけるキャビティ４１の構成を示す上面模式図である。本願において、キャビティ４１の「奥部」とは、キャビティ４１の入口４１ｃ側から試薬層３より奥側の部分であり、後端部とも言える部分である。具体的には、図１を参照して、平面視において、試薬層３（試薬部４１ａ）のうちのキャビティ４１の入口４１ｃから最も遠い位置を通り、キャビティ４１の幅方向（奥行方向に垂直な方向）に延びる直線Ａと、最奥縁部Ｂと、キャビティ４１の側壁Ｃ１，Ｃ２とで囲まれる部分（奥部４１ｂ）である。
【００２１】
なお、本明細書において、「平面視」は、基板、スペーサ４およびカバー５の積層方向から見た平面視を意味する。また、「最奥縁部」とは、キャビティ４１の奥部の最も奥側の縁部であり、図１においては、側壁Ｃ１，Ｃ２と連続する半円弧状の壁部を意味する。
【００２２】
図３は、参考形態１のバイオセンサにおけるキャビティ４１の構成を示す上面模式図である。図４に示されるように、図３に示される参考形態１のように、キャビティ４１の最奥縁部の形状が直線状である場合、検体（試料液６）の導入時に、キャビティ４１の最奥縁部の近傍７で泡ガミ（エアーの内包）が生じてしまう。
【００２３】
この原因は、キャビティ４１の入口４１ｃから導入された試料液６がキャビティ４１のグルコース測定電極（試薬層３）付近で流路が一時的に広がり、その際に空気を巻き込みつつ、キャビティ４１の最奥縁部に達するためと考えられる。このように試料液６の導入時に泡ガミが発生すると、電気化学反応を検出している作用極２１および対極２２上で泡ガミの発生による衝撃に伴って生じる試料液６のゆらぎにより、Ｉ−ｔカーブが乱れ、測定精度が低下することが分かっている。
【００２４】
これに対して、本実施形態では、キャビティ４１の最奥縁部の形状を円弧状にすることで、試料液６の導入時に巻き込んだ空気が円弧状の最奥縁部に沿って移動し、最奥縁部の近傍に配置される空気孔５ａの近辺に局所的に集められ、空気孔５ａを通した外部への放出を促進させることができる（図２）。
【００２５】
ただし、最奥縁部は必ずしも円弧状である必要はなく、例えば、最奥縁部が三角形の二辺や階段形状であってもよく、平面視において、空気孔５ａがキャビティ４１の奥部の最も奥側の縁部である最奥縁部の近傍に位置し、キャビティ４１の奥部の幅が空気孔５ａの方向に向かって狭くなっていれば、同様の効果が奏される。
【００２６】
また、本実施形態では、キャビティ４１の試薬層３に相当する部分である試薬部４１ａの幅が、キャビティ４１の試薬部４１ａ以外の部分の幅よりも広いことが好ましい。
【００２７】
図５に、従来のバイオセンサの一例の構成を示す。図５に示されるように、従来のバイオセンサにおいては、キャビティ４１の試薬層３に相当する部分である試薬部４１ａの幅が、キャビティ４１の試薬部４１ａ以外の部分の幅と同程度であることが一般的であった。この場合、一般に、バイオセンサの測定精度を高める上で、キャビティ４１内で電気化学反応を生じる試薬層３の面積を大きくすることが望ましいところ、試薬層３の面積を大きくすると、キャビティ４１全体の容量が増加してしまい、測定に必要な検体（試料液）の量が増えるという問題があった。
【００２８】
これに対して、キャビティ４１の試薬層３に相当する部分である試薬部４１ａの幅が、キャビティの試薬部４１ａ以外の部分の幅よりも広くすることで、測定反応に必要な試薬層３の大きさ（試薬量）を確保しつつ、キャビティ４１の容量を必要最小限に小さくして、測定に必要な検体量を最小限にすることができる。したがって、例えば、検体が血液である場合、血液採取時の患者への負荷を低減することができる。
【００２９】
本実施形態において、基質（分析対象物）としては、例えば、グルコース（血糖）、乳酸、コレステロール、アルコール、ザルコシン、フルクトシルアミン、ピルビン酸、乳酸、ヒドロキシ酪酸が挙げられる。
【００３０】
絶縁性基板１の材料としては、特に限定されないが、ＰＥＴ（ポリエチレンテレフタレート）フィルムなどのプラスチック材料、感光性材料、紙、ガラス、セラミック、または、生分解性材料などが挙げられる。これらの材料は、スペーサ４、カバー５の材料としても用いられる。
【００３１】
絶縁性基板１上に設ける電極層は、少なくとも作用極２１と対極２２を含む。電極層は、作用極２１および対極２２以外に、電極電位の測定時に電位の基準となる参照電極や、キャビティ４１に試料が供給されたことを検知するための検知電極を含んでいてもよい。
【００３２】
これらの電極（作用電極、対極、参照極、検知用電極など）の材料としては、白金、金、パラジウムなどの貴金属、カーボン、銅、アルミニウム、ニッケル、チタン、ＩＴＯ（Indium  Tin  Oxide：酸化インジウム錫）、ＺｎＯ（酸化亜鉛）などが挙げられる。電極層は、例えば、スクリーン印刷や、スパッタリング蒸着法を用いて絶縁性基板１の一方の面に上記材料からなる導電層を形成し、さらに、レーザー加工、フォトリソグラフィーなどを用いてパターン形成することにより、作製することができる。
【００３３】
酵素としては、例えば、グルコースオキシダーゼ、グルコースデヒドロゲナーゼ、アルコールオキシダーゼ、アルコールデヒドロゲナーゼ、乳酸オキシダーゼ、乳酸デヒドロゲナーゼ、コレステロールエステラーゼ、コレステロールオキシダーゼ、ザルコシンオキシダーゼ、フルクトシルアミンオキシダーゼ、ピルビン酸オキシダーゼ、ヒドロキシ酪酸デヒドロゲナーゼ、クレアチニナーゼ、クレアチナーゼ、ＤＮＡポリメラーゼが挙げられる。これらの酵素を検出したい測定対象物質（グルコース、アルコール、乳酸、コレステロール、ザルコシン、フルクトシルアミン、ピルビン酸、ヒドロキシ酪酸など）に応じて選択することで種々のバイオセンサを作製することができる。
【００３４】
例えば、グルコースオキシダーゼまたはグルコースデヒドロゲナーゼを用いれば血液試料中のグルコースを検出するグルコースセンサを作製でき、アルコールオキシダーゼまたはアルコールデヒドロゲナーゼを用いれば血液試料中のエタノールを検出するアルコールセンサを作製でき、乳酸オキシダーゼを用いれば血液試料中の乳酸を検出する乳酸センサを作製でき、コレステロールエステラーゼとコレステロールオキシダーゼとの混合物を用いれば総コレステロールセンサを作製できる。
【００３５】
メディエータとは、作用極２１と対極２２との間の電子伝達を仲介する化合物（電子伝達体）であり、それ自体が酸化還元反応を行う物質であることが好ましい。メディエータとしては、例えば、フェリシアン化カリウム、フェロセン、フェロセン誘導体、ベンゾキノン、キノン誘導体、オスミウム錯体、ルテニウム錯体などを用いることができる。
【００３６】
試薬層３は、親水性高分子を含むことが好ましい。この場合、試薬層３を電極層の表面へ容易に固定化することができる。また、親水性高分子は、試料液中の夾雑物（血液中の血球など）をろ過するろ過剤としても機能する。
【００３７】
親水性高分子としては、特に限定されないが、例えば、カルボニル基、アシル基、カルボキシル基、アルデヒド基、スルホ基、スルホニル基、スルホキシド基、トシル基、ニトロ基、ニトロソ基、エステル基、ケト基、ケテン基を有する親水性高分子があげられる。カルボキシル基を有する親水性高分子としては、例えば、カルボキシメチルセルロース、カルボキシメチルエチルセルロースが挙げられ、好ましくはカルボキシメチルセルロース（ＣＭＣ）である。
【００３８】
また、試薬層３は、検体導入を促進するための親水化剤などを含んでいてもよい。親水化剤としては、例えば、ＴｒｉｔｏｎＸ１００、Ｔｗｅｅｎ２０、ビス（２−エチルヘキシル）スルホコハク酸ナトリウムなどの界面活性剤、レシチンなどのリン脂質が挙げられる。親水化剤は、上記の試薬に混ぜて滴下してもよいし、上記の試薬層の上からさらに滴下してもよい。また、後述のカバーに親水化剤を形成しても良い。
【００３９】
カバー５の材料は、絶縁性材料であることが好ましく、例えば、ＰＥＴフィルムなどプラスチック、感光性材料、紙、ガラス、セラミック、生分解性材料を用いることができる。なお、カバー５は、スペーサ４によって形成されるキャビティ４１と連通する空気孔５ａを有していることが好ましい。毛細管現象により試料が空気孔５ａに向かって吸引されて、キャビティ４１内への試料の導入が容易になるからである。
【００４０】
（バイオセンサの製造方法）
本実施形態のバイオセンサの製造方法の一例について、図９〜図１４を参照して説明する。図９は、本実施形態のバイオセンサの構成を示す分解斜視図である。図１０〜図１４は、本実施形態のバイオセンサの製造工程の一例を説明するための図であって、それぞれ異なる工程を示している。本実施形態では、複数のバイオセンサを同時に作製することができる。
【００４１】
まず、図１０を参照して、電極層（作用極２１および対極２２）を、複数の絶縁性基板１の各々の上に形成する。具体的には、絶縁性基板１の一方の面に、導電層をスクリーン印刷や、スパッタリング蒸着法により形成し、形成された導電層にレーザー加工やフォトリソグラフィーによるパターン形成を施すことで、電極層を形成する。なお、作用極２１および対極２２以外に、上述の参照電極、検知電極などを形成してもよい。また、電極層および絶縁性基板１の表面にプラズマ処理を施しておいてもよい。
【００４２】
次に、図１１を参照して、電極層（作用極２１および対極２２）の絶縁性基板１と反対側の一部、および、絶縁性基板１の電極層が形成されていない領域の電極層側の表面の一部に、切欠部４２を有するスペーサ４を貼り合わせる。
【００４３】
次に、図１２を参照して、電極層（作用極２１および対極２２）の絶縁性基板１と反対側（切欠部４２の内部）に試薬液を滴下し、試薬液を乾燥させることによって試薬層３を形成する。なお、例えば、ＣＭＣ液、酵素液、メディエータ液を順に滴下した後にそれらを乾燥して試薬層３を形成してもよく、酵素、メディエータおよびＣＭＣ等を含む液を滴下した後にそれらを乾燥して試薬層３を形成してもよい。
【００４４】
次に、図１３を参照して、空気孔５ａを有するカバー５が、スペーサ４上に、少なくとも切欠部４２を覆うように積層されることで、試薬層３に試料液を誘導するためのキャビティ４１が形成される。なお、空気孔５ａはキャビティ４１の開口の反対側においてキャビティ４１の内部と連通するように設けられている。
【００４５】
次に、以上の工程によって形成されたバイオセンサの集合基板を分割することで、キャビティ４１を有するバイオセンサが得られる（図１４、図９）。
【００４６】
（バイオセンサの使用方法）
本発明のバイオセンサ（バイオチップ）は、測定器に装着されて使用されるものである。すなわち、測定器に装着されたバイオセンサのキャビティ４１に試料（血液など）を供給し、試料中の測定対象物質（グルコースなど）と酵素およびメディエータとが反応することで還元物質が生成する。そして、バイオセンサの作用極２１および対極２２と電気的に接続された測定器により、作用極２１と対極２２との間に電圧を印加し、この還元物質を酸化することにより得られる酸化電流を計測することで、試料に含まれる測定対象物質の定量が行われる。
【００４７】
以下、本発明のバイオセンサの使用方法の一例について説明する。まず、キャビティ４１の先端部分（入口４１ｃ）に血液を接触させ、血液を、毛細管現象を利用してキャビティ４１内部に導入する。そして、作用極２１と対極２２間に電圧を印加し、一定のタイミングで電流値を測定する。印加電圧は、例えば０．３Ｖとする。キャビティ４１内に血液が導入されると、血中の分析対象物が酵素を介してメディエータを還元する。作用極２１と対極２２の間に電圧を印加した際に流れる電流は、メディエータの還元体濃度、すなわち分析対象物濃度と相関がある。
【００４８】
次に、電圧印加から一定時間経過後の電流値を測定する。例えば、３〜５秒後の電流値を測定する。この電流値を用いて、あらかじめ求めておいた検量線から分析対象物濃度を決定することができる。
【実施例】
【００４９】
以下、実施例を挙げて本発明をより詳細に説明するが、本発明はこれらに限定されるものではない。
【００５０】
［試験例１］
基本的には、上記実施形態１に説明した構成を有するバイオセンサを作製した。なお、試薬層は、ＣＭＣ液、酵素液、メディエータ液を順に滴下した後に、それらを乾燥することで形成した。酵素液としてはグルコースデヒドロゲナーゼとメチルセルロースの混合液、メディエータ液としてはフェリシアン化カリウムとヒドロキシプロピルメチルセルロースの混合液を用いた。絶縁性基板１およびスペーサの材質はポリエチレンテレフタレートである。スペーサの厚みは１８５μｍである。なお、平面視におけるキャビティの奥部の面積に対する空気孔の面積の比率を変更した５種類のバイオセンサを作製した。平面視における試薬層の幅は１ｍｍ、奥部の幅は１．２ｍｍであった。
【００５１】
（グルコース濃度の測定）
所定濃度のグルコース水溶液を上記のバイオセンサを用いて測定した（ｎ＝１０）。なお、作用極と対極の間に０．３Ｖの電圧を印加し、グルコース応答電流（グルコース測定電流）の値を測定した。測定結果から求めたグルコース測定電流のＣＶ値を図６に示す。
【００５２】
図６に示されるように、平面視において、キャビティの奥部（試薬層より奥側の部分）の面積に対する空気孔の面積の比率を０．３以下とすることで、ＣＶ値を３％以下とすることができ、測定毎のばらつきが少ない高精度なバイオセンサが得られることが分かる。
【００５３】
［試験例２］
図５に示されるような従来構造のバイオセンサと、参考形態１および実施形態１のバイオセンサを作製した。試験例１と同様にしてグルコース測定電流の値を測定した。各々のバイオセンサについて、１グルコース測定電流の精度（ｃｖ値）を図７に示す。
【００５４】
図７の結果から、実施形態１のグルコース測定電流のばらつきは、従来構造と同等であるのに対して、参考形態１は従来構造よりばらつきが大きくなることがわかる。参考形態１の測定精度が従来構造より低くなったのは、キャビティ先端から導入された検体がキャビティの試薬形成箇所で流路が一時的に広がり、その際に、巻き込んだ空気がキャビティ後端に達した際の衝撃によって、電気化学反応を検出している作用極および対極上で検体のゆらぎが生じ、Ｉ−ｔカーブに乱れが生じ、測定電流のセンサチップ間ばらつきが大きくなったためと推測される。
【００５５】
一方、実施形態１では、キャビティの最奥縁部の形状を円弧状にすることで、キャビティ先端から導入された検体がキャビティの試薬層の部分で流路が一時的に広がり、その際に、巻き込んだ空気が最奥縁部に沿って移動し、キャビティ後端部に配置される空気孔近辺に局所的に集められ、空気孔からの外部への空気の放出が促進される。そのため、参考形態１で問題となったような泡ガミ（エアーの内包）の発生に伴う検体のゆらぎの発生が抑制できたと考えられる。
【００５６】
［試験例３］
参考形態１（図３）に関して、キャビティの奥部の奥行（長さ）を２５０、５００および７５０μｍに変化させたときの、グルコース測定電流のｃｖ値を試験例１と同様にして求めた。なお、平面視における試薬層の幅は１．２ｍｍ、奥部の幅は１ｍｍであった。結果を図８に示す。
【００５７】
図８に示されるように、参考形態１に関して、キャビティの奥部の寸法を大きくすることで、グルコース測定電流の精度が向上することが分かる。これは、キャビティの奥部の寸法が大きくなることで、電気化学反応を検出する電極部とキャビティの最奥縁部のクリアランスが大きくなり、最奥縁部の近傍での泡ガミの発生に伴ってグルコース測定電極が受ける検体のゆらぎの影響が低下するためと推測される。
【００５８】
すなわち、同様に上記実施形態１などの本発明のバイオセンサにおいても、キャビティの奥部の奥行を長くすることで、測定精度を向上させることが可能であると考えられる。ただし、奥部の奥行を長くするとキャビティ容量が増加するが、キャビティ容量の増加は上述のとおり測定に必要な検体量の増加を招くことから望ましくないため、奥部の奥行を必要以上に長くすることは望ましくない。
【符号の説明】
【００５９】
１  絶縁性基板、２１  作用極、２２  対極、３  試薬層、４  スペーサ、４１  キャビティ、４１ａ  試薬部、４１ｂ  奥部、４１ｃ  入口、４２  切欠部、５  カバー、５ａ  空気孔、６  試料液、７  最奥縁部の近傍。
【図１】
0006610025.tif 000002
【図２】
0006610025.tif 000003
【図３】
0006610025.tif 000004
【図４】
0006610025.tif 000005
【図５】
0006610025.tif 000006
【図６】
0006610025.tif 000007
【図７】
0006610025.tif 000008
【図８】
0006610025.tif 000009
【図９】
0006610025.tif 000010
【図１０】
0006610025.tif 000011
【図１１】
0006610025.tif 000012
【図１２】
0006610025.tif 000013
【図１３】
0006610025.tif 000014
【図１４】
0006610025.tif 000015